(57)【要約】【課題】光ディスクが回転されることに起因して振動や騒音ならびにディスク保持部材の移動に伴う振動や騒音が生じることを抑制可能な光ディスク装置を提供する。【解決手段】この発明の光ディスク装置においては、昇降用保持部材４が旋回運動の一部として第１の方向および第１の方向と逆の第２の方向に移動（上下動）される際の昇降用保持部材４の位置を安定化させるための昇降用保持部材の移動方向と直交する方向に規定された一対のガイドリブがフレームに設けられている。ガイドリブと接することで摺動負荷および負荷変動を最小にできる複数の突起４ｄ，４ｅ，４ｆを昇降用保持部材に設けたことにより、昇降用保持部材が上下動される際のガタツキが抑制される。【選択図】    図４
2006155784.tif 000002
【特許請求の範囲】
【請求項１】
記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、
前記第１の保持構造体を収容する筐体と、
記録媒体を保持し、前記筐体内に、もしくは前記筐体から外部へ搬送する記録媒体保持構造体と、
前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、
を有する光ディスク装置において、
前記筐体の所定の位置に、前記昇降用保持部材が移動される際の前記昇降用保持部材の動きを規制する一対の案内部材が設けられていることを特徴とする光ディスク装置。
【請求項２】
前記昇降用保持部材の所定の位置には、前記昇降用保持部材が移動される際に生じる撓みを規制するための突起が設けられていることを特徴とする請求項１記載の光ディスク装置。
【請求項３】
前記昇降用保持部材の所定の位置には、前記昇降用保持部材が移動される際に生じる撓みを規制するための突起と前記昇降用保持部材が移動される際の摺動負荷を低減するための突起とが設けられていることを特徴とする請求項１または２記載の光ディスク装置。
【請求項４】
前記昇降用保持部材の所定の位置には、前記昇降用保持部材の移動である旋回運動を可能とする回転中心を規定する突起がさらに設けられていることを特徴とする請求項１ないし３のいずれかに記載の光ディスク装置。
【請求項５】
記録媒体を保持し、記録媒体を所定位置に搬送する記録媒体保持構造体と、
前記記録媒体保持構造体により所定位置に搬送された記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、
前記記録媒体保持構造体により、前記記録媒体が前記第１の保持構造体による所定位置に保持可能に移動される際に、前記記録媒体保持構造体が移動される方向と直交する方向に移動可能に形成され、前記記録媒体保持構造体が移動される際に、前記第１の保持構造体を前記記録媒体保持構造体と接することのない位置に位置させる第２の保持構造体と、
前記第２の保持構造体が移動される際の自身の撓みおよび移動の際に生じる摺動負荷を所定の大きさに規制可能な案内部材と前記第２の保持構造体が移動される際の旋回動作の支点となる第２の保持構造体支点部と、前記第２の保持構造体が移動される際の旋回動作において生じる負荷の変動を抑制する負荷変動規定部とを有し、前記記録媒体保持構造体により前記記録媒体が案内される筐体と、
を有することを特徴とする光ディスク装置。
【請求項６】
前記筐体の前記案内部材は、前記記録媒体保持機構が前記筐体に収容される方向または前記筐体から外部へ排出される方向と直交する方向、かつ前記第２の保持構造体が移動される方向と直交する方向の前記筐体の２側面に、前記第２の保持構造体が移動される方向に関して異なる形状が与えられて、一対、設けられていることを特徴とする請求項５記載の光ディスク装置。
【請求項７】
前記第２の保持構造体は、前記筐体の前記第２の保持構造体支点部を回転中心として巨視的に旋回するための一対の第１および第２の突起と、第１および第２の突起から前記旋回時の半径方向に所定距離の位置に規定され、前記筐体の前記一対の案内部材と接触する第３および第４の突起と、前記第１の突起と前記第３の突起との間または前記第２の突起と前記第４の突起との間に設けられ、前記筐体の前記壁面と接する第５の突起と、を有することを特徴とする請求項５または６記載の情報記録再生装置。
【請求項８】
前記筐体の前記案内部材のうちの前記筐体の一方は、前記第２の保持構造体が旋回動作により移動される際に前記第２の保持構造体に生じる前記筐体の一方の側面に向かって発生する撓みを規制可能で、前記案内部材のうちの他の一方は、対向する側面側で摺動負荷の大きさを所定の大きさに規定可能であることを特徴とする請求項７記載の光ディスク装置。
【請求項９】
前記筐体の所定の位置には、前記第２の保持構造体の旋回動作に伴う往復動により発生される力により前記記録媒体保持構造体が保持する記録媒体がカートリッジに収容された形状である場合に、そのカートリッジを前記第１の保持構造体が前記記録媒体を所定位置に保持可能に位置決めするカートリッジ保持構造が設けられていることを特徴とする請求項５ないし８のいずれかに記載の光ディスク装置。
【発明の詳細な説明】
【技術分野】
【０００１】
この発明は、情報記録媒体、例えば円盤状の光ディスクに情報を記録し、または光ディスクから情報を再生する光ディスク装置に係り、特に光ディスクを高速で回転させたときに生じる振動に起因したノイズを低減可能な構造およびその構造を用いた光ディスク装置に関する。
【背景技術】
【０００２】
情報記録媒体である光ディスクとして、ＤＶＤ−ＲＯＭに代表される再生専用タイプ、ＤＶＤ−Ｒに代表される１回記録（追記）タイプ、ならびにコンピュータの外付けメモリや録再ビデオに利用可能なＤＶＤ−ＲＡＭおよびＤＶＤ−ＲＷに代表される書き換え可能タイプ等が、広く普及している。
【０００３】
光ディスクに情報を記録し、または光ディスクから情報を再生する光ディスク装置は、光ディスクを保持して所定の速度で回転させるモータを保持したモータ保持部と、光ディスクをハウジング内に収容し、またはハウジングから排出させるために光ディスクを支持するディスクトレイと、ディスクトレイすなわち光ディスクの収容／排出動作において、モータ保持部がディスクトレイと接触することを防止するためにモータ保持部をディスクトレイが移動される領域から待避させるモータ部待避機構（可動部）等、を有する。
【０００４】
上述の可動部は、光ディスクの偏芯回転等に起因して、ガタツキが発生しやすく、その結果、振動や騒音が生じることが知られている。この振動や騒音のうち、ある要因により生じる振動や騒音を低減することができるディスク装置が提案されている（例えば、特許文献１参照）。
【特許文献１】特開平１０−２１６８０号公報（段落［００５７］〜同［００６３］、図２）
【発明の開示】
【発明が解決しようとする課題】
【０００５】
特許文献１のディスク装置では、上述の可動部として、昇降用保持部材とフレームとを含む。
【０００６】
昇降用保持部材は、回転軸を有し、その回転軸には、リング状の緩衝部材が装着されている。なお、昇降用保持部材の前方部分は、フレームに固定された板バネにより所定方向に押しつけられている。
【０００７】
しかしながら、リング状の緩衝部材や板バネを用いることにより、昇降用保持部材の上昇中あるいは下降中においても、必要以上の摺動負荷が発生する問題がある。また、昇降用保持部材の前方部分の撓みを規制することができないため、負荷が変動することが避けられない。さらに、リング状の緩衝部材や板バネを用いることは、部品コストの増大と、それに起因する装置コストの増大を招くことに他ならない。
【０００８】
この発明の目的は、光ディスク装置において、光ディスクが回転されることに起因して振動や騒音ならびにディスク保持部材の移動に伴う振動や騒音が生じることを抑制可能な構造を提供することである。
【課題を解決するための手段】
【０００９】
この発明は、上記問題点に基づきなされたもので、記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、を有する光ディスク装置において、    
前記筐体の所定の位置に、前記昇降用保持部材が移動される際の前記昇降用保持部材の動きを規制する一対の案内部材が設けられていることを特徴とする光ディスク装置、を提供するものである。
【００１０】
筐体に設けられた案内部材は、第２の保持構造体に設けられた複数の突起と所定の動作位置において接することで、第２の保持構造体が移動される際の摺動負荷の大きさを低減可能であり、同保持構造体が移動される際に生じる自身の撓みに起因する負荷変動も抑制できる。
【発明の効果】
【００１１】
本発明によれば、昇降用保持部材が移動される際に生じる摺動負荷の大きさを最小限に低減でき、しかも昇降用保持部材の下降中の撓みにより生じる負荷変動も、最小限に抑制可能である。従って、光ディスクに偏芯回転等が生じた場合であっても、昇降用保持部材に振動および騒音が生じることが抑制される。
【００１２】
すなわち、本発明の光ディスク装置においては、フレーム（筐体）側に昇降用保持部材（トラバースメカ）を保持するための異形ガイドリブを一対設けると共に、昇降用保持部材のガイドリブと対応する位置に、左右方向を規制するための突起が設けられている。また、他に、昇降用保持部材が旋回運動により移動される際に生じる撓みを規制するための突起が設けられている。
【００１３】
これにより、簡易かつ安価な構造で、トラバースメカ昇降用保持部材を、ガタツキなく保持することが可能となり、ディスクの偏芯回転等による昇降用保持部材の振動および騒音を抑制することができる。また、昇降用保持部材の昇降中における摺動負荷および昇降用保持部材の撓みによる負荷変動を軽減することが可能な光ディスク装置におけるトラバースメカ昇降機構を提供することができる。
【発明を実施するための最良の形態】
【００１４】
以下、図面を参照して、この発明の実施の形態について詳細に説明する。
【００１５】
図１は、本発明の一実施の形態が適用される光ディスク装置を概略的に示す。
【００１６】
図１に示すように、図示しない光ディスク（記録媒体）に情報を記録可能で、既に情報が記録されている光ディスクからは情報を再生する光ディスク装置１０１は、ハウジング（筐体外装）１０３と、ハウジング１０３に対して格納（引き込み）／排出（繰り出し）可能に形成され、ハウジング内に、またはハウジングから外部に光ディスクを搬送（収容／排出）するディスクトレイ１０５を有する。
【００１７】
ディスクトレイ１０５は、ハウジング１０３の任意の一面に形成されたフロントパネル１０７に設けられたイジェクトボタン１０９を介してディスクトレイ１０５の格納または排出が指示（入力）されることで、ハウジング１０３内に形成された詳述しないローディング機構によりハウジング１０３内に光ディスクを収容し、もしくはハウジング１０３から外部に光ディスクを排出できる。
【００１８】
図２は、図１に示した光ディスク装置の要部を説明する分解斜視図である。
【００１９】
図２に示される通り、光ディスク装置１０１は、ハウジング１０３内の主要部を占めるとともに、以下に説明するさまざまな要素および構造を保持したフレーム（筐体）１を有する。
【００２０】
フレーム１の所定の位置には、光ディスクを保持するとともに、光ディスクからの情報の読み出し（情報再生）および光ディスクへの情報の書き込み（情報記録）時に光ディスクを所定の速度で回転させるモータと、光ディスクからの情報再生／光ディスクへの情報記録に用いられる光ヘッド（ピックアップ）と、を保持したピックアップシャーシ（トラバースメカ）２が、ダンパ３を介して昇降用保持部材（ピックアップシャーシ）４の所定の位置に固定されている。
【００２１】
上述の光ディスク装置１０１においては、ピックアップシャーシ（トラバースメカ）２は、昇降用保持部材４の上下動（巨視的には旋回動作）により、ディスクトレイ１０５が往復動される領域から、退避される。なお、ディスクトレイ１０５の往復動は、ディスクトレイ１０５にセットされた図示しない光ディスクがディスクトレイ１０５の往復動によりフレーム１内へ収容動作、あるいはフレーム１からその外部への排出動作である。
【００２２】
フレーム１のディスクトレイ１０５が往復動される面内と直交する方向、かつディスクトレイ１０５が往復動される方向のそれぞれと直交する側面（２面）には、後段に詳細に説明するが、昇降用保持部材４が上下動（旋回）される際に、昇降用保持部材４の動きを制御する一対のホルダ（案内部材）１１１が設けられている。
【００２３】
次に、図１および図２に概略を示した光ディスク装置の昇降用保持部材の動作の一例を説明する。
【００２４】
図３に示すように、モータ１１の軸に圧入されたプーリ１０からベルト９を介してギア一体プーリ８、中継ギア７、トレイ駆動ギア６へと動力が伝達され、トラバースメカ２を昇降させるためのスライダ５が、矢印Ａ方向に移動される。
【００２５】
昇降用保持部材４は、スライダ５のカム溝５ａと連結されており、スライダ５の動作に連動して、回転軸４ａを支点として回動される。これにより、昇降用保持部材４が上下動される。
【００２６】
この昇降用保持部材４の上下動に伴い、フレーム１の一対のホルダ１１１に、それぞれを上下動させるために設けられている中継レバー１１３と、昇降用保持部材４の支点４ａが設けられる部分よりも半径方向の外側の所定の位置に設けられている第１および第２の突起４ｂ，４ｃとが、相互に接触される。なお、第２の突起４ｃは、その斜視の方向の関係から図４にのみ、示されている。また、説明のため、図４において、第２の突起４ｃと接するホルダ１１１（および中継レバー１１３）は、省略されている。
【００２７】
図２ないし図４（特に図３および図４）から明らかなように、昇降用保持部材４が下降した場合は、昇降用保持部材４の第１および第２の突起４ｂ，４ｃと中継レバー１１３とが、それぞれ接触される。従って、中継レバー１１３の位置の変化（ホルダ１１１の接続部１１１ａを支点としたレバー１１３の旋回により図３に示した位置から図４に示す位置への変位）に伴ってホルダ１１１が上方に移動される。なお、ホルダ１１１がロック解除位置に上昇された状態を、図５に拡大して示す。
【００２８】
これにより、光ディスクのうちでカートリッジに収容されているタイプが図２に示したトラバースメカ２に保持されている場合においては、図示しないカートリッジは、ホルダ１１１によりロックされた状態であるが、そのロックが解除される。
【００２９】
図６ないし図８に、図２ないし図４により前に説明した昇降用保持部材の上下動の動作を説明する。
【００３０】
図６および図７に示す通り、フレーム１の２側面（図２において一対のホルダ１１１が設けられる面と同じ面）には、昇降用保持部材４を保持するための一対のガイドリブ１ａおよび１ｂが設けられている。
【００３１】
なお、図３に示したスライダ５が矢印Ａ方向のＬ方向（昇降用保持部材４が上昇する方向）に移動される側の第１のガイドリブ１ａ（図６参照）の長さは、他方のガイドリブ１ｂ（図７参照）の長さよりも長く規定されている。また、図７に示した通り、ガイドリブ１ｂは、矢印Ｂ方向のＤ側がテーパ状に形成されている。
【００３２】
昇降用保持部材４には、図８から明らかなように、フレーム１側のガイドリブ１ａ，１ｂと接触可能に規定された第３および第４の突起４ｄ，４ｅが、支点４ａが設けられる部分よりも半径方向の外側の第１および第２の突起４ｂ，４ｃの位置よりも、さらに外側の所定の位置に設けられている。なお、第２の突起４ｃと第４の突起４ｅとの間には、さらに第５の突起４ｆが設けられている。また、第５の突起４ｆは、後段に詳細を示すが、図７において、ガイドリブ１ｂの近傍であって、支点４ａ側の所定の位置に設けられた壁面１ｃと接触可能に形成されている。
【００３３】
以下、図９ないし図１１を用いて、昇降用保持部材４が上下動される際の第３の突起４ｄ、第４の突起４ｅおよび第５の突起４ｆと、対応するフレーム１側のガイドリブ１ａ，１ｂならびに壁面１ｃとの位置関係の変化を説明する。
【００３４】
図９に示すように、スライダ５（図３参照）が図３の矢印ＡのＲ方向からＬ方向へ移動されることで、昇降用保持部材４が（支点４ａを回転中心として巨視的に旋回されることで）上昇される（図７において矢印ＢのＵ方向へ移動される）。
【００３５】
この時、昇降用保持部材４は、図３に示したＬ方向への撓みが発生するが、第３の突起４ｄと第１のガイドリブ１ａが接触していることにより、撓みは最小減に抑えられる（図１０参照）。
【００３６】
一方、第４の突起４ｅと第２のガイドリブ１ｂとの間には、前に説明したテーパ（リブ１ｂの厚さが図７のＵ方向がＤ方向より厚く規定されている）により図１０に示すように隙間が生じる。このため、この区間の摺動負荷は、最小減に抑えることが可能となる。
【００３７】
昇降用保持部材４がさらに上昇される（図７においてＵ方向へ移動される）ことで、図２に示したディスクトレイ１０５にセットされている光ディスクの中心穴に、トラバースメカ２のターンテーブルの中心が一致されるディスククランプの直前に、第４の突起４ｅと第２のガイドリブ１ｂとが接触する。
【００３８】
従って、昇降用保持部材４のターンテーブルに図示しない光ディスクが支持された状態（ディスク回転位置）において、昇降用保持部材４は、光ディスクに偏芯回転等が生じた場合であっても、不所望に振動することなく保持される（ガタツキが抑止できる）。
【００３９】
この結果、光ディスクの偏芯回転等による昇降用保持部材２の振動および騒音が抑制される（図９参照）。
【００４０】
一方、スライダ５が図３の矢印ＡのＬ方向からＲ方向へ移動されることで、昇降用保持部材４が（支点４ａを回転中心として巨視的に旋回されることで）下降される（図７において矢印ＢのＤ方向へ移動される）。
【００４１】
この時、第４の突起４ｅと第２のガイドリブ１ｂとは、図１０により既に説明した状態すなわちリブ１ｂと突起４ｅとの間に隙間がある状態となる。従って、昇降用保持部材４が下降される際の摺動負荷が最小限に抑制される。
【００４２】
なお、昇降用保持部材４が下降される際は、図３ないし図５により前に説明した通り、昇降用保持部材４の第１および第２の突起４ｂ，４ｃと中継レバー１１３が接触することにより中継レバー１１３を介してホルダ１１１が上方（図７のＵ方向）へ押し上げられるので、その結果、昇降用保持部材４には、上昇時と逆方向（図３のＲ方向）の撓みが発生する。
【００４３】
しかしながら、昇降用保持部材４に設けられた第５の突起２ｆとフレーム右側の壁面１ｃとが接触することにより、撓みは最小減に抑えられ、撓みによる負荷変動が、最小減に抑制される（図１１参照）。
【００４４】
このように、昇降用保持部材４が旋回運動の一部として第１の方向および第１の方向と逆の第２の方向に移動（上下動）される際の昇降用保持部材４の位置を安定化させるための（昇降用保持部材４）移動方向と直交する方向に規定された一対のガイドリブ１ａ，１ｂを、フレーム１に設け、ガイドリブ１ａ，１ｂの大きさを変化させることにより、昇降用保持部材４が上下動される際のガタツキを抑制できる。
【００４５】
また、同ガイドリブ１ａ，１ｂと突起４ｄ，４ｅの非対称性により昇降用保持部材４が上下動される際の摺動負荷が低減される。
【００４６】
しかも、昇降用保持部材４に（昇降用保持部材４の）撓みを規制する突起４ｆを設け、フレーム１の所定位置（壁面）１ｃにより突起４ｆの位置を規制することにより、部品数を増加させることのない簡易かつ安価な構造で、トラバースメカ昇降用保持部材４をガタツキなく保持することが可能となる。  
これにより、光ディスクの偏芯回転等による昇降用保持部材４の振動および騒音を抑制することができ、かつ昇降用保持部材４の昇降中における摺動負荷および昇降用保持部材４の撓みによる負荷変動を軽減することが可能となる。
【００４７】
すなわち、本発明では、フレーム側に昇降用保持部材を保持するための異形ガイドリブを一対設けると共に、昇降用保持部材には左右方向を規制するための突起の他に、撓みを規制するための突起が設けられている。
【００４８】
昇降用保持部材が上昇し始める時に、本部材に撓みが発生するが、ガイドリブの長い側と左右方向を規制するための突起が接触しているため、撓みは最小限に抑えられ、もう一方の突起とガイドリブ間には隙間が設けられていることにより、この区間の摺動負荷を最小限に抑えることが可能となる。
【００４９】
また、ディスククランプ動作直前に、隙間が設けられていた側の突起とガイドリブが係合し、昇降用保持部材はガタツキ無く保持され、ディスクの偏芯回転等による昇降用保持部材の振動および騒音を抑制することが可能となる。
【００５０】
一方、昇降用保持部材が下降し始めると、片側の突起とガイドリブの係合が外れて隙間が確保されるため、この区間の摺動負荷を最小限に抑えることが可能となる。
【００５１】
従って、昇降用保持部材がカートリッジ保持用ホルダの解除動作をし始める時に、昇降用保持部材には、上昇時と逆方向の撓みが発生する。
【００５２】
このことにより、昇降用保持部材に設けられた撓み規制用の突起とフレーム壁面とが接触することにより、撓みは最小限に抑えられ、撓みによる負荷変動を最小限に抑えることが可能となる。
【００５３】
以上説明したように、本発明によれば、昇降用保持部材昇降中の摺動負荷の大きさを、最小限に低減でき、しかも昇降用保持部材下降中の撓みによる負荷変動も、最小限に抑制される。
【００５４】
また。本発明によれば、簡易かつ安価な構造で、光ディスクに偏芯回転等が生じた場合であっても、昇降用保持部材に振動および騒音が生じることが抑制される。
【００５５】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００５６】
【図１】本発明の一実施の形態による光ディスク装置の一例を示す概略図。
【図２】図１に示した光ディスク装置の要部を説明する分解斜視図。
【図３】図１、図２の光ディスク装置の昇降用保持部材の動作の一例を示す概略図。
【図４】図１、図２の光ディスク装置の昇降用保持部材の動作の一例を示す概略図。
【図５】図１、図２の光ディスク装置の昇降用保持部材の動作の一例を示す概略図。
【図６】図３〜図５の光ディスク装置の昇降用保持部材の動作を実現する案内機構の一例（一対の一方）を示す概略図。
【図７】図３〜図５の光ディスク装置の昇降用保持部材の動作を実現する案内機構の一例（一対の他の一方）を示す概略図。
【図８】図１に示した光ディスク装置に組み込まれる昇降用保持部材の形状の特徴の一例を示す概略図。
【図９】図８に示した昇降用保持部材の位置とフレームとの関係（ディスククランプ完了時）を説明する断面図。
【図１０】図８に示した昇降用保持部材の位置とフレームとの関係（昇降用保持部材の昇降動作中）を示す断面図。
【図１１】図８に示した昇降用保持部材の位置とフレームとの関係（昇降用保持部材の撓み防止用の突起とフレーム壁面の位置関係）を示す断面図。
【符号の説明】
【００５７】
１…フレーム、１ａ…第１のガイドリブ、１ｂ…第２のガイドリブ、１ｃ…壁面、２…トラバースメカ、３…ダンパ、４…昇降用保持部材、４ａ…回転軸、４ｂ…第１の突起、４ｃ…第２の突起、４ｄ…第３の突起、４ｅ…第４の突起、４ｆ…第５の突起、５…トラバースメカ昇降用スライダ、５ａ…カム溝、６…トレイ駆動ギア、７…中継ギア、８…ギア一体プーリ、９…ベルト、１０…プーリ、１１…モータ、１０１…光ディスク装置、１０３…ハウジング、１０５…ディスクトレイ、１０７…フロントパネル、１０９…イジェクトボタン、１１１…カートリッジ保持用ホルダ、１１３…中継レバー。
【図１】
2006155784.tif 000003
【図２】
2006155784.tif 000004
【図３】
2006155784.tif 000005
【図４】
2006155784.tif 000006
【図５】
2006155784.tif 000007
【図６】
2006155784.tif 000008
【図７】
2006155784.tif 000009
【図８】
2006155784.tif 000010
【図９】
2006155784.tif 000011
【図１０】
2006155784.tif 000012
【図１１】
2006155784.tif 000013